【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
ビデオ符号化器における方法であって、
ピクチャの少なくとも部分についてのピクチャ・データを符号化するステップを含み、
前記符号化するステップは、前記部分に対してスパース性ベースのアーティファクト除去フィルタリングを実行するステップを含み、
前記スパース性ベースのアーティファクト除去フィルタリングのための１つ以上のフィルタ・パラメータは、可変変換に応じて決定および選択され、
変換サイズが符号化コストに基いて決定され、並びにフィルタ・パラメータが量子化ノイズおよび符号化情報に基いて適応化される、前記方法。
【請求項２】
ピクチャの少なくとも部分についてのピクチャ・データを符号化する符号化器を備え、
前記符号化器は、前記部分に対してスパース性ベースのアーティファクト除去フィルタリングを実行するスパース性ベースのアーティファクト除去フィルタを含み、
前記スパース性ベースのアーティファクト除去フィルタリングのための１つ以上のフィルタ・パラメータは、可変変換に応じて決定および選択され、
変換サイズが符号化コストに基いて決定され、並びにフィルタ・パラメータが量子化ノイズおよび符号化情報に基いて適応化される、装置。
【請求項３】
前記ピクチャは、ビデオ・シーケンスの一部であり、前記１つ以上のフィルタ・パラメータは、サンプル・レベル、ブロック・レベル、領域レベル、スライス・レベル、ピクチャ・レベル、およびシーケンス・レベルのうちの少なくとも１つに関連する、請求項１に記載の方法。
【請求項４】
前記１つ以上のフィルタ・パラメータは、フィルタ・パラメータの決定および選択処理を実行することによって決定および選択され、
前記フィルタ・パラメータの決定および選択処理は、フィルタ・パラメータの適応化処理と組み合わされ、前記フィルタ・パラメータの適応化処理は、少なくとも量子化ノイズおよび符号化情報に基づいている、請求項１に記載の方法。
【請求項５】
変換サイズおよび前記スパース性ベースのアーティファクト除去のための前記１つ以上のフィルタ・パラメータのうちの少なくとも幾つかが、１つ以上のハイレベル・シンタックス要素を用いて信号送信される、請求項１に記載の方法。
【請求項６】
前記可変変換は、変換タイプ、変換サイズ、変換次元、および変換方向のうちの少なくとも１つに関して可変である、請求項１に記載の方法。
【請求項７】
フィルタ・パラメータ・テーブルが記憶され、前記可変変換の各々のための対応するフィルタ・パラメータは、前記パラメータ・テーブルと前記可変変換の各々との関数である、請求項６に記載の方法。
【請求項８】
前記可変変換の各々のための対応するフィルタ・パラメータは、スケーリング・ファクタおよびオフセットのうちの少なくとも一方によって信号送信される、請求項６に記載の方法。
【請求項９】
前記可変変換の各々のためのフィルタ・パラメータのセットが前記符号化器および復号器の双方に記憶され、前記可変変換のうちの対応する１つのインデックスのみが前記復号器に信号送信されるか、前記復号器で導出される、請求項６に記載の方法。
【請求項１０】
ビデオ復号器における方法であって、
ピクチャの少なくとも部分についてのピクチャ・データを復号するステップを含み、
前記復号するステップは、前記部分に対してスパース性ベースのアーティファクト除去フィルタリングを実行するステップを含み、
前記スパース性ベースのアーティファクト除去フィルタリングのための１つ以上のフィルタ・パラメータは、可変変換に応じて決定および選択され、
変換サイズが符号化コストに基いて決定され、並びにフィルタ・パラメータが量子化ノイズおよび符号化情報に基いて適応化される、前記方法。
【請求項１１】
ピクチャの少なくとも部分についてのピクチャ・データを復号する復号器を備え、
前記復号器は、前記部分に対してスパース性ベースのアーティファクト除去フィルタリングを実行するスパース性ベースのアーティファクト除去フィルタを含み、
前記スパース性ベースのアーティファクト除去フィルタリングのための１つ以上のフィルタ・パラメータは、可変変換に応じて決定および選択され、
変換サイズが符号化コストに基いて決定され、並びにフィルタ・パラメータが量子化ノイズおよび符号化情報に基いて適応化される、装置。
【請求項１２】
前記ピクチャは、ビデオ・シーケンスの部分であり、前記１つ以上のフィルタ・パラメータは、サンプル・レベル、ブロック・レベル、領域レベル、スライス・レベル、ピクチャ・レベル、およびシーケンス・レベルのうちの少なくとも１つに関連する、請求項１０に記載の方法。
【請求項１３】
前記１つ以上のフィルタ・パラメータは、フィルタ・パラメータの決定および選択処理を実行することによって決定および選択され、
前記フィルタ・パラメータの決定および選択処理は、フィルタ・パラメータの適応化処理と組み合わされ、前記フィルタ・パラメータの適応化処理は、少なくとも量子化ノイズおよび符号化情報に基づいている、請求項１０に記載の方法。
【請求項１４】
変換サイズおよび前記スパース性ベースのアーティファクト除去のための前記１つ以上のフィルタ・パラメータのうちの少なくとも幾つかが１つ以上のハイレベル・シンタックス要素を用いて決定される、請求項１０に記載の方法。
【請求項１５】
前記可変変換は、変換タイプ、変換サイズ、変換次元、および変換方向のうちの少なくとも１つに関して可変である、請求項１０に記載の方法。
【請求項１６】
フィルタ・パラメータ・テーブルが記憶され、前記可変変換の各々のための対応するフィルタ・パラメータは、前記パラメータ・テーブルと前記可変変換の各々との関数である、請求項１５に記載の方法。
【請求項１７】
前記可変変換の各々のための対応するフィルタ・パラメータは、スケーリング・ファクタおよびオフセットのうちの少なくとも一方を用いて決定される、請求項１５に記載の方法。
【請求項１８】
前記可変変換の各々のための前記対応するフィルタ・パラメータは、最初に決定された後に適応化される、請求項１７に記載の方法。
【請求項１９】
前記可変変換の各々のためのフィルタ・パラメータのセットが前記符号化器および復号器の双方に記憶され、前記可変変換のうちの対応する１つのインデックスのみが前記復号器によって受信されるか、前記復号器で導出される、請求項１５に記載の方法。
【請求項２０】
符号化されたビデオ信号データを記憶するコンピュータによって読み取り可能な記憶媒体であって、
ピクチャの少なくとも部分が符号化されたピクチャ・データを含み、
前記ピクチャ・データは、前記部分に対するスパース性ベースのアーティファクト除去フィルタリングの後の前記部分を表し、
前記スパース性ベースのアーティファクト除去フィルタリングのための１つ以上のフィルタ・パラメータは、可変変換に応じて決定および選択される、前記記憶媒体。
【手続補正２】
【補正対象書類名】明細書
【補正対象項目名】００７０
【補正方法】変更
【補正の内容】
【００７０】
別の実施形態においては、各変換サイズのパラメートのセットが符号化器および復号器の双方に記憶される。各スライスについて、変換サイズを信号送信するだけでよい。従って、図９および図１０は、パラメータ・テーブルがスケーリング・ファクタおよびオフセット・ペアを使用しない点において図１１および図１２とは異なる。
【手続補正３】
【補正対象書類名】図面
【補正対象項目名】図１１
【補正方法】変更
【補正の内容】
【図１１】
2012524455.tif 000001